(57)【要約】【課題】電力会社などにおける警報出力試験などの作業の効率化を図ることができる可変抵抗付きヒューズクリップ，それを用いた試験システムおよび試験方法を提供する。【解決手段】可変抵抗付ヒューズクリップ１０は、第１および第２の端子１１，１２と、一端が第１の端子１１に接続されたヒューズ１３と、ヒューズ１３の他端と第２の端子１２との間に設けられた可変抵抗器１４とを具備する。可変抵抗器１４の代わりに、抵抗値が異なる第１および第２の抵抗と、第１および第２の抵抗の一方を選択するスイッチと、スイッチの切換を制御するスイッチ制御装置とを備えてもよい。【選択図】  図１
2006223067.tif 000002
【特許請求の範囲】
【請求項１】
第１および第２の端子（１１，１２）と、
一端が前記第１の端子に接続されたヒューズ（１３）と、
該ヒューズの他端と前記第２の端子との間に設けられた可変抵抗手段（１４；１１１〜１１４）と、
を具備することを特徴とする、可変抵抗付きヒューズクリップ。
【請求項２】
前記可変抵抗手段が、抵抗値が異なる第１および第２の抵抗（１１２，１１３）と、該第１および第２の抵抗の一方を選択するスイッチ（１１１）と、該スイッチの切換を制御するスイッチ制御装置（１１４）とを備えることを特徴とする、請求項１記載の可変抵抗付きヒューズクリップ。
【請求項３】
請求項１または２記載の可変抵抗付きヒューズクリップを用いて、第３の端子と第１の電圧値の電圧が印加された第４の端子とを有する端子台（３１）を備えた被試験機器（３０）の試験を行うための試験システムであって、
２本の接続ケーブルを備えた電圧検出リレー（６０）と、
第５の端子と第２の電圧値の電圧が印加された第６の端子とを有する端子台（２１）を備えるリレー盤（２０）と、
を具備し、
前記リレー盤の前記第５の端子を前記被試験機器の前記第３の端子に制御ケーブルを介して接続し、前記電圧検出リレーの２本の接続ケーブルを前記被試験機器の前記第３および第４の端子にそれぞれ接続し、前記可変抵抗付きヒューズクリップの前記第１および第２の端子を前記リレー盤の前記第５および第６の端子に接続して、前記電圧検出リレーによって検出される前記被試験機器の前記第３および第４の端子間の電圧に応じて、前記可変抵抗付きヒューズクリップの前記可変抵抗手段の抵抗値が切り換えられる、
ことを特徴とする、試験システム。
【請求項４】
前記電圧検出リレーの出力信号を送信するための送信手段（７０）と、
該送信手段から送信される前記電圧検出リレーの出力信号を受信するための受信手段（８０）と、
をさらに具備し、
前記受信手段の出力信号よって表わされる前記被試験機器の前記第３および第４の端子間の電圧に応じて、前記可変抵抗付きヒューズクリップの前記可変抵抗手段の抵抗値が切り換えられる、
ことを特徴とする、請求項３記載の試験システム。
【請求項５】
前記可変抵抗手段が、抵抗値が異なる第１および第２の抵抗（１１２，１１３）と、該第１および第２の抵抗の一方を選択するスイッチ（１１１）と、該スイッチの切換を制御するスイッチ制御装置（１１４）とを備え、
前記スイッチ制御装置が、前記被試験機器の前記第３および第４の端子間の電圧に応じて前記スイッチの切換を制御する、
ことを特徴とする、請求項３または４記載の試験システム。
【請求項６】
請求項１または２記載の可変抵抗付きヒューズクリップを用いて、第３の端子と第１の電圧値の電圧が印加された第４の端子とを有する端子台（３１）を備えた被試験機器（３０）の試験を行うための試験方法であって、
電圧検出リレー（６０）の２本の接続ケーブルを前記被試験機器の第３および第４の端子にそれぞれ接続する第１のステップと、
前記可変抵抗付きヒューズクリップの前記第１の端子を、前記被試験機器の前記第３の端子に制御ケーブルを介して接続されたリレー盤（２０）の第５の端子に接続するとともに、該可変抵抗付きヒューズクリップの前記第２の端子を、第２の電圧値の電圧が印加された該リレー盤の第６の端子に接続する第２のステップと、
前記電圧検出リレーによって検出される前記被試験機器の前記第３および第４の端子間の電圧に応じて、前記可変抵抗付きヒューズクリップの前記可変抵抗手段の抵抗値を切り換える第３のステップと、
を具備することを特徴とする、試験方法。
【請求項７】
前記電圧検出リレーの出力信号を送信手段（７０）を用いて送信する第４のステップと、
該送信手段から送信される前記電圧検出リレーの出力信号を受信手段（８０）を用いて受信する第５のステップと、
をさらに具備し、
前記第３のステップにおいて、前記受信手段の出力信号よって表わされる前記被試験機器の前記第３および第４の端子間の電圧に応じて、前記可変抵抗付きヒューズクリップの前記可変抵抗手段の抵抗値を切り換える、
ことを特徴とする、請求項６記載の試験方法。
【請求項８】
前記可変抵抗手段が、抵抗値が異なる第１および第２の抵抗（１１２，１１３）と、該第１および第２の抵抗の一方を選択するスイッチ（１１１）と、該スイッチの切換を制御するスイッチ制御装置（１１４）とを備え、
前記第３のステップにおいて、前記スイッチ制御装置が、前記被試験機器の前記第３および第４の端子間の電圧に応じて前記スイッチの切換を制御する、
ことを特徴とする、請求項６または７記載の試験方法。
【発明の詳細な説明】
【技術分野】
【０００１】
本発明は、可変抵抗付きヒューズクリップ，それを用いた試験システムおよび試験方法に関し、特に、電力会社において遮断器などの機器の点検を実施するのに好適な可変抵抗付きヒューズクリップ，それを用いた試験システムおよび試験方法に関する。
【背景技術】
【０００２】
従来、電力会社においては、たとえば、リレー盤からのリレー動作を行わないで警報出力試験を実施する場合には、回路短絡時の焼損を防止するために、ヒューズの両端にクリップを設けたヒューズクリップを用いてリレー盤の端子間を短絡して出力する方法を採っている。
【０００３】
なお、以下に示す特許文献１には、テスト回路の接地短絡，開放回路および腐食などによる高抵抗のような障害の位置および種類を確認することができるようにした、電圧計の機能を強化する回路が開示されている。この電圧計の機能を強化する回路においては、直列接続されたテスト負荷，ヒューズおよびスイッチを電圧計と並列に設けて、スイッチの開閉によりテスト負荷の連結および非連結を調整している。
【特許文献１】特表２００３−５０５６８４号公報
【発明の開示】
【発明が解決しようとする課題】
【０００４】
しかしながら、上述した従来の警報出力試験方法では、図面と実配線の線番号および制御ケーブル番号とを２人の作業員が照合して、短絡するリレー盤の端子を確認したのちに、他の端子をビニールフィルムやテープを用いて塞いで、ヒューズクリップが当らないように区画している。そのため、たとえば、図面と実配線の線番号および制御ケーブル番号とが相違してしまっている場合には、短絡するリレー盤の端子を作業員が誤認してしまい、制御リレーや遮断器のトリップコイルを励磁して誤制御や誤遮断を生じさせてしまうという問題があった。
【０００５】
また、電力会社の電気所には、多数の機器（装置）が存在するために、数千本の配線が存在する。また、各機器および配電盤の形状は似ており、かつ、盤単位に数百の配線があるため、作業員がリレー盤の端子台（最近では、リレー盤のスリム化に伴い端子台が狭くなっている。）の１段を間違え易く、上述した問題を解決することが強く要請されている。
【０００６】
本発明の目的は、電力会社などにおける警報出力試験などの作業の効率化を図ることができる可変抵抗付きヒューズクリップ，それを用いた試験システムおよび試験方法を提供することにある。
【課題を解決するための手段】
【０００７】
本発明の可変抵抗付ヒューズクリップは、第１および第２の端子（１１，１２）と、一端が前記第１の端子に接続されたヒューズ（１３）と、該ヒューズの他端と前記第２の端子との間に設けられた可変抵抗手段（１４；１１１〜１１４）とを具備することを特徴とする。
ここで、前記可変抵抗手段が、抵抗値が異なる第１および第２の抵抗（１１２，１１３）と、該第１および第２の抵抗の一方を選択するスイッチ（１１１）と、該スイッチの切換を制御するスイッチ制御装置（１１４）とを備えてもよい。
【０００８】
本発明の可変抵抗付ヒューズクリップを用いた試験システムは、本発明の可変抵抗付きヒューズクリップを用いて、第３の端子と第１の電圧値の電圧が印加された第４の端子とを有する端子台（３１）を備えた被試験機器（３０）の試験を行うための試験システムであって、２本の接続ケーブルを備えた電圧検出リレー（６０）と、第５の端子と第２の電圧値の電圧が印加された第６の端子とを有する端子台（２１）を備えるリレー盤（２０）とを具備し、前記リレー盤の前記第５の端子を前記被試験機器の前記第３の端子に制御ケーブルを介して接続し、前記電圧検出リレーの２本の接続ケーブルを前記被試験機器の前記第３および第４の端子にそれぞれ接続し、前記可変抵抗付きヒューズクリップの前記第１および第２の端子を前記リレー盤の前記第５および第６の端子に接続して、前記電圧検出リレーによって検出される前記被試験機器の前記第３および第４の端子間の電圧に応じて、前記可変抵抗付きヒューズクリップの前記可変抵抗手段の抵抗値が切り換えられることを特徴とする。
ここで、前記電圧検出リレーの出力信号を送信するための送信手段（７０）と、該送信手段から送信される前記電圧検出リレーの出力信号を受信するための受信手段（８０）とをさらに具備し、前記受信手段の出力信号よって表わされる前記被試験機器の前記第３および第４の端子間の電圧に応じて、前記可変抵抗付きヒューズクリップの前記可変抵抗手段の抵抗値が切り換えられてもよい。
また、前記可変抵抗手段が、抵抗値が異なる第１および第２の抵抗（１１２，１１３）と、該第１および第２の抵抗の一方を選択するスイッチ（１１１）と、該スイッチの切換を制御するスイッチ制御装置（１１４）とを備え、前記スイッチ制御装置が、前記被試験機器の前記第３および第４の端子間の電圧に応じて前記スイッチの切換を制御してもよい。
【０００９】
本発明の可変抵抗付ヒューズクリップを用いた試験方法は、本発明の可変抵抗付きヒューズクリップを用いて、第３の端子と第１の電圧値の電圧が印加された第４の端子とを有する端子台（３１）を備えた被試験機器（３０）の試験を行うための試験方法であって、電圧検出リレー（６０）の２本の接続ケーブルを前記被試験機器の第３および第４の端子にそれぞれ接続する第１のステップと、前記可変抵抗付きヒューズクリップの前記第１の端子を、前記被試験機器の前記第３の端子に制御ケーブルを介して接続されたリレー盤（２０）の第５の端子に接続するとともに、該可変抵抗付きヒューズクリップの前記第２の端子を、第２の電圧値の電圧が印加された該リレー盤の第６の端子に接続する第２のステップと、前記電圧検出リレーによって検出される前記被試験機器の前記第３および第４の端子間の電圧に応じて、前記可変抵抗付きヒューズクリップの前記可変抵抗手段の抵抗値を切り換える第３のステップとを具備することを特徴とする。
ここで、前記電圧検出リレーの出力信号を送信手段（７０）を用いて送信する第４のステップと、該送信手段から送信される前記電圧検出リレーの出力信号を受信手段（８０）を用いて受信する第５のステップとをさらに具備し、前記第３のステップにおいて、前記受信手段の出力信号よって表わされる前記被試験機器の前記第３および第４の端子間の電圧に応じて、前記可変抵抗付きヒューズクリップの前記可変抵抗手段の抵抗値を切り換えてもよい。
また、前記可変抵抗手段が、抵抗値が異なる第１および第２の抵抗（１１２，１１３）と、該第１および第２の抵抗の一方を選択するスイッチ（１１１）と、該スイッチの切換を制御するスイッチ制御装置（１１４）とを備え、前記第３のステップにおいて、前記スイッチ制御装置が、前記被試験機器の前記第３および第４の端子間の電圧に応じて前記スイッチの切換を制御してもよい。
【発明の効果】
【００１０】
本発明の可変抵抗付きヒューズクリップ，それを用いた試験システムおよび試験方法は、以下に示すような効果を奏する。
（１）本発明の可変抵抗付ヒューズクリップは可変抵抗手段を有しているため、たとえばヒューズクリップで短絡するリレー盤の端子を作業員が誤認しても可変抵抗手段の抵抗値を高抵抗値に設定しておけば、このリレー盤の端子に接続されている制御リレーや遮断器のトリップコイルを励磁して誤制御や誤遮断を生じさせてしまうことを防止することができる。
（２）本発明の試験システムおよび試験方法は、本発明の可変抵抗付きヒューズクリップを用いて被試験機器の試験を行うため、たとえばヒューズクリップで短絡するリレー盤の端子を作業員が誤認しても、可変抵抗手段の抵抗値を高抵抗値に設定しておくとともに、電圧検出リレーを用いて検出した、ヒューズクリップで短絡すべきであったリレー盤の他の端子に制御ケーブルを介して接続された被試験機器の端子の電圧に応じて可変抵抗付きヒューズクリップの可変抵抗手段の抵抗値を切り換えることにより、このリレー盤の誤って短絡された端子に接続されている制御リレーや遮断器のトリップコイルを励磁して誤制御や誤遮断を生じさせてしまうことを防止することができる。
【発明を実施するための最良の形態】
【００１１】
電力会社などにおける警報出力試験などの作業の効率化を図ることができるという目的を、ヒューズクリップに、一端が第１の端子に接続されたヒューズの他端と第２の端子との間に可変抵抗手段を設けることにより実現した。
【実施例１】
【００１２】
以下、本発明の可変抵抗付きヒューズクリップ，それを用いた試験システムおよび試験方法の実施例について、図面を参照して説明する。
本発明の一実施例による可変抵抗付きヒューズクリップ１０は、図１に示すように、第１および第２の端子１１，１２と、一端が第１の端子１１に接続されたヒューズ１３と、ヒューズ１３の他端と第２の端子１２との間に設けられた可変抵抗器１４とを具備する。
ここで、可変抵抗器１４は、たとえば、手動により、または、外部からの制御信号により、抵抗値を１ｋΩまたは１０ｋΩに切り換えることができる。
【００１３】
次に、本発明の可変抵抗付ヒューズクリップを用いた試験システムの一実施例である警報出力試験システムについて、図２および図３を参照して説明する。
本実施例による警報出力試験システムは、図２に示すように、図１に示した可変抵抗付きヒューズクリップ１０と、リレー盤２０と、警報盤３０と、遮断器４０と、配電盤５０と、電圧検出リレー６０と、送信機７０と、受信機８０とを備える。
【００１４】
ここで、リレー盤２０は、端子番号１〜４およびＰの端子を有する端子台２１を備えている。端子台２１の端子番号１〜４の端子はそれぞれ、端子番号Ｐの端子とリレー（不図示）を介して接続されている。また、端子番号Ｐの端子は、正電圧源に接続されている。すなわち、端子番号Ｐの端子には、正の電圧値の電圧が印加されている。
【００１５】
警報盤３０は、端子番号１〜４およびＮの端子を有する端子台３１と、端子台３１の端子番号２の端子と接地点との間に直列に接続された動作ランプ３２とを備えている。端子台３１の端子番号２の端子は、リレー盤２０の端子台２１の端子番号２の端子と制御ケーブルを介して電気的に接続されている。また、端子番号Ｎの端子は接地されている。すなわち、端子番号Ｎの端子には、０Ｖの電圧値の電圧が印加されている。
【００１６】
遮断器４０は、一端が接地点に接続されたトリップコイル４２を備える。トリップコイル４２の他端は、リレー盤２０の端子台２１の端子番号３の端子と制御ケーブルを介して電気的に接続されている。
【００１７】
配電盤５０は、リレー盤２０の端子台２１の端子番号４の端子と制御ケーブルを介して電気的に接続されている。
【００１８】
電圧検出リレー６０は、２本の接続ケーブルを備え、２本の接続ケーブル間の電圧が所定の電圧値以上になるとハイレベルの出力信号を出力する。ここで、たとえば図１に示すように警報盤３０の端子台３１の端子番号２の端子の電圧を測定する場合には、２本の接続ケーブルのうちの一方は警報盤３０の端子台３１の端子番号２の端子に接続され、他方は警報盤３０の端子台３１の端子番号Ｎの端子に接続される。
【００１９】
電圧検出リレー６０の出力電圧は、送信機７０を介して受信機８０に送信される。受信機８０は、送信機７０から送信されてくる電圧検出リレー６０の出力電圧の振幅（ロウレベルまたはハイレベル）に応じて、可変抵抗付きヒューズクリップ１０の可変抵抗器１４の抵抗値を切り換える。
【００２０】
次に、本実施例による警報出力試験システムの動作（本発明の可変抵抗付ヒューズクリップを用いた試験方法の一実施例である警報出力試験方法）について、図３に示すフローチャートを参照して説明する。
まず、警報盤３０の設置場所にいる作業員は、電圧検出リレー６０の２本の接続ケーブルの一方を警報盤３０の端子台３１の端子番号Ｎの端子にたとえばクリップで挟んで接続したのち、他方を警報盤３０の端子台３１の端子番号２の端子にたとえばクリップで挟んで接続する（ステップＳ１１）。
このとき、警報盤３０の端子台３１の端子番号２の端子と端子番号Ｎの端子との間の電圧は０Ｖであるため、電圧検出リレー６０はロウレベルの出力信号を出力する。電圧検出リレー６０のロウレベルの出力信号は、送信機７０から受信機８０に送信される。受信機８０は、送信されてきた電圧検出リレー６０の出力信号の振幅がロウレベルであるため、可変抵抗付きヒューズクリップ１０の可変抵抗器１４の抵抗値は１０ｋΩに切り換える（ステップＳ１２）。
【００２１】
また、リレー盤２０の設置場所にいる他の作業員は、可変抵抗付きヒューズクリップ１０の第１の端子１１をリレー盤２０の端子台２１の端子番号２の端子にたとえばクリップで挟んで接続するとともに、第２の端子１２をリレー盤２０の端子台２１の端子番号Ｐの端子にたとえばクリップで挟んで接続する（ステップＳ１３）。
このとき、リレー盤２０の端子台２１の端子番号Ｐの端子には正の電圧値の電圧が印加されているため、リレー盤２０の端子台２１の端子番号Ｐの端子から、可変抵抗器１４，ヒューズ１３，リレー盤２０の端子台２１の端子番号２の端子，制御ケーブル，警報盤３０の端子台３１の端子番号２の端子および動作ランプ３２を介して、警報盤３０内の接地点に向けて電流が流れる。しかし、可変抵抗器１４の抵抗値は１０ｋΩに切り換えられているため、警報盤３０の動作ランプ３２には、動作ランプ３２を駆動するのに十分な値の電流は流れない。その結果、この時点では、警報盤３０の動作ランプ３２が点灯することはない。
【００２２】
リレー盤２０の端子台２１の端子番号Ｐの端子から警報盤３０内の接地点に向けて電流が流れると、警報盤３０の端子台３１の端子番号２の端子と端子番号Ｎの端子との間には、リレー盤２０の端子台２１の端子番号Ｐの端子に印加された正の電圧値の電圧が分圧された電圧（所定の電圧値以上の電圧）が発生する。その結果、電圧検出リレー６０からハイレベルの出力信号が出力される（ステップＳ１４）。
電圧検出リレー６０のハイレベルの出力信号は、送信機７０から受信機８０に送信される。受信機８０は、送信されてきた電圧検出リレー６０の出力信号の振幅がハイレベルであるため、可変抵抗付きヒューズクリップ１０の可変抵抗器１４の抵抗値を１ｋΩに切り換える（ステップＳ１５）。
【００２３】
可変抵抗付きヒューズクリップ１０の可変抵抗器１４の抵抗値が１ｋΩに切り換えられると、リレー盤２０の端子台２１の端子番号Ｐの端子から警報盤３０内の接地点に向けて流れる電流の値が大きくなるため、警報盤３０の動作ランプ３２が点灯する（ステップＳ１６）。警報盤３０の設置場所にいる作業員は、警報盤３０の動作ランプ３２が点灯したことを確認すると、警報出力試験を終了する。
【００２４】
なお、上述したステップＳ１３において、リレー盤２０の設置場所にいる他の作業員が、誤って、可変抵抗付きヒューズクリップ１０の第１の端子１１をリレー盤２０の端子台２１の端子番号３の端子に接続すると、リレー盤２０の端子台２１の端子番号Ｐの端子から、可変抵抗器１４，ヒューズ１３，リレー盤２０の端子台２１の端子番号３の端子，制御ケーブル，遮断器４０のトリップコイル４１を介して、遮断器４０内の接地点に向けて電流が流れる。しかし、上述したステップＳ１２において可変抵抗器１４の抵抗値は１０ｋΩに切り換えられているため、遮断器４０のトリップコイル４１には、トリップコイル４１を励磁するのに十分な値の電流は流れない。その結果、遮断器４０が誤動作することを防止することができる。
【００２５】
以上の説明では、警報盤３０の設置場所にいる作業員が電圧検出リレー６０の２本の接続ケーブルを警報盤３０の端子台３１の端子番号Ｎの端子および端子番号２の端子にそれぞれ接続したが、これらを常時接続しておく場合には、警報盤３０側の作業員は不要となる。
また、リレー盤２０の設置場所と警報盤３０の設置場所とが同じ場所である場合には、送信機７０および受信機８０を介さずに電圧検出リレー６０の出力信号を可変抵抗付きヒューズクリップ１０の可変抵抗器１４に出力してもよい。
さらに、警報盤３０の端子台３１の端子番号Ｎの端子は、警報盤３１内の接地点ではなく負の電圧源に接続して、この端子に負の電圧値の電圧を印加するようにしてもよい。
【００２６】
以上では、本発明の可変抵抗付きヒューズクリップを用いて警報出力試験を行う場合について説明したが、以下のようにして、本発明の可変抵抗付きヒューズクリップを用いて遮断器４２のトリップコイル４２の動作試験を行うこともできる。
警報盤３０の設置場所にいる作業員が電圧検出リレー６０の２本の接続ケーブルを警報盤３０の端子台３１の端子番号Ｎの端子および端子番号２の端子にそれぞれ接続し、また、リレー盤３０の設置場所にいる他の作業員が可変抵抗付きヒューズクリップ１０の第１および第２の端子１１，１２をリレー盤２０の端子台２１の端子番号３の端子および端子番号Ｐの端子にそれぞれ接続する。このとき、リレー盤２０の設置場所にいる作業員が、誤って、可変抵抗付きヒューズクリップ１０の第１の端子１１をリレー盤２０の端子台２１の端子番号２の端子に接続しても、可変抵抗器１４の抵抗値は１０ｋΩに切り換えられているため、警報盤３０の動作ランプ３２が点灯することはないので、警報盤３０が誤警報することを防止することができる。
【００２７】
また、図１に示した可変抵抗付きヒューズクリップ１０（本発明の第１の実施例による可変抵抗付きヒューズクリップ）の代わりに、図４に示す可変抵抗付きヒューズクリップ１００（本発明の第２の実施例による可変抵抗付きヒューズクリップ）を用いてもよい。
この可変抵抗付きヒューズクリップ１００は、図１に示す可変抵抗器１４の代わりに、第１および第２の抵抗１１２，１１３と、第１および第２の抵抗１１２，１１３の一方を選択するスイッチ１１１と、スイッチ１１１の切換えを制御するスイッチ制御装置１１４とを備える点で、図１に示した可変抵抗付きヒューズクリップ１０と異なる。
なお、この可変抵抗付きヒューズクリップ１００を用いて図２に示す警報出力試験システムを構成する場合には、スイッチ制御装置１１４は、受信機８０から入力される電圧検出リレー６０の出力信号に応じて第１および第２の抵抗１１２，１１３の一方を選択する。
【産業上の利用可能性】
【００２８】
以上説明したように、本発明の可変抵抗付きヒューズクリップは、電力会社において遮断器などの機器の点検を実施するのに利用することができる。
【図面の簡単な説明】
【００２９】
【図１】本発明の第１の実施例による可変抵抗付ヒューズクリップの回路構成を示す図である。（実施例１）
【図２】図１に示した可変抵抗付ヒューズクリップを用いた警報出力試験システムを示すブロック図である。（実施例１）
【図３】図２に示した警報出力試験システムの動作を説明するための図である。（実施例１）
【図４】本発明の第２の実施例による可変抵抗付きヒューズクリップの回路構成を示す図である。（実施例２）
【符号の説明】
【００３０】
１０，１００  可変抵抗付ヒューズクリップ
１１，１２  第１および第２の端子
１３  ヒューズ
１４  可変抵抗器
２０  リレー盤
２１，３１  端子台
３０  警報盤
３２  動作ランプ
４０  遮断器
４２  トリップコイル
５０  配電盤
６０  電圧検出リレー
７０  送信機
８０  受信機
Ｓ１１〜Ｓ１６  ステップ
【図１】
2006223067.tif 000003
【図２】
2006223067.tif 000004
【図３】
2006223067.tif 000005
【図４】
2006223067.tif 000006